【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
サポートワイヤー、
前記サポートワイヤーによって規定される軸線の周りに配置されるボディーフレーム部であって、前記ボディーフレーム部の長手方向の長さが前記ボディーフレーム部の外径の少なくとも２倍の長さである前記ボディーフレーム部、
前記ボディーフレーム部から前記サポートワイヤーに結合しているカラーまで延びている１本以上のテザーを含むテザー部、及び
前記ボディーフレーム部から延びているフィルター部
を備える血栓治療器具。
【請求項２】
前記ボディーフレーム部の長手方向の長さが前記ボディーフレーム部の外径の少なくとも３倍の長さである、請求項１に記載の器具。
【請求項３】
前記ボディーフレーム部の長手方向の長さが前記ボディーフレーム部の外径の少なくとも４倍の長さである、請求項１に記載の器具。
【請求項４】
前記ボディーフレーム部の長手方向の長さが前記ボディーフレーム部の外径の少なくとも５倍の長さである、請求項１に記載の器具。
【請求項５】
前記フィルター部の長手方向の長さが前記ボディーフレーム部の長手方向の長さの半分以下である、請求項１に記載の器具。
【請求項６】
前記の１本以上のテザーが、前記ボディーフレーム部によって規定される領域内に実質的に存在する形態へ、前記の１本以上のテザーが外転するように構成されている、請求項１に記載の器具。
【請求項７】
前記の１本以上のテザーがニチノールから構成される、請求項１に記載の器具。
【請求項８】
前記の１本以上のテザーが高分子材料から構成される、請求項１に記載の器具。
【請求項９】
前記器具が、前記ボディーフレーム部から、前記サポートワイヤーに結合している前記カラーまでそれぞれ延びている複数のテザーを含む、請求項１に記載の器具。
【請求項１０】
前記の複数のテザーの各テザーが、前記ボディーフレーム部によって規定される領域内に実質的に存在する形態へ、前記の複数のテザーの各テザーが外転するように構成されている、請求項９に記載の器具。
【請求項１１】
前記フィルター部が前記ボディーフレーム部と実質的に重ならない、請求項１に記載の器具。
【請求項１２】
前記ボディーフレーム部が、前記ボディーフレーム部の長手方向の長さに沿って少なくとも３列に配置された複数の開放型セルを規定し、且つ、前記フィルター部が、前記の少なくとも３列のうちの、１列までは前記ボディーフレーム部と重なり、前記ボディーフレーム部の残りの部分とは重ならない、請求項１に記載の器具。
【請求項１３】
前記ボディーフレーム部が前記ボディーフレーム部の長手方向の長さに沿って３列から１０列までの開放型セルを規定する、請求項１２に記載の器具。
【請求項１４】
前記フィルター部が前記ボディーフレーム部の長手方向の長さの２０％以下と重なる、請求項１に記載の器具。
【請求項１５】
前記の１本以上のテザーが前記ボディーフレーム部の近位末端から延びており、且つ、前記フィルター部が前記ボディーフレーム部の遠位末端から延びている、請求項１に記載の器具。
【請求項１６】
サポートチューブ、
前記サポートチューブによって規定される軸線の周りに配置されるボディーフレーム部であって、近位末端と遠位末端を含む前記ボディーフレーム部、
前記ボディーフレーム部の遠位末端から延びているフィルター部、及び
それぞれ第１末端と第２末端を有する複数のテザー
を備える血栓治療器具であって、
前記の複数のテザーのそれぞれの前記第１末端が前記サポートチューブの近位末端から外に延びており、前記テザーが前記サポートチューブのルーメンを通って前記サポートチューブの遠位末端から外に延びており、且つ、前記ボディーフレーム部の遠位末端の近くで前記ボディーフレーム部と係合し、且つ、前記ボディーフレーム部の近位末端まで延びており、
前記の複数のテザーのそれぞれの前記第２末端が前記ボディーフレーム部の近位末端の近くで前記ボディーフレーム部に結合していることを特徴とする前記血栓治療器具。
【請求項１７】
前記の複数のテザーの各テザーが前記ボディーフレーム部の近位末端の近くの前記ボディーフレーム部の周りにループを形成する、請求項１６に記載の器具。
【請求項１８】
前記の複数のテザーのそれぞれの前記第１末端に加えられた近位方向に向けられた力によって、前記ボディーフレーム部の遠位末端と前記ボディーフレーム部の近位末端が前記サポートチューブによって規定される前記軸線に向かって半径方向に折りたたまれる、請求項１６に記載の器具。
【請求項１９】
前記の複数のテザーが前記ボディーフレーム部の近位末端の近くの前記ボディーフレーム部の周りに集団でループを形成する、請求項１６に記載の器具。
【請求項２０】
前記の複数のテザーのそれぞれの前記第１末端に加えられた近位方向に向けられた力によって、前記ボディーフレーム部の遠位末端と前記ボディーフレーム部の近位末端が前記サポートチューブによって規定される長手方向の前記軸線に向かって半径方向に折りたたまれる、請求項１９に記載の器具。
【請求項２１】
サポートワイヤー、
前記サポートワイヤーによって規定される軸線の周りに配置されるボディーフレーム部であって、前記ボディーフレーム部の長手方向の長さが前記ボディーフレーム部の外径の少なくとも２倍の長さである、前記ボディーフレーム部、
それぞれ前記ボディーフレーム部の近位末端から前記サポートワイヤーに結合しているカラーまで延びている１本以上のテザー、及び
前記ボディーフレーム部の遠位末端から延びているフィルター部
を備える血栓治療器具であって、
前記ボディーフレーム部が前記ボディーフレーム部の長手方向の長さに沿って少なくとも３列に配置された複数の開放型セルを規定し、且つ、前記フィルター部が、前記の少なくとも３列のうちの１列までは重なり、残りの列とは重ならないことを特徴とする前記血栓治療器具。
【請求項２２】
前記ボディーフレーム部の長手方向の長さが前記ボディーフレーム部の外径の少なくとも３倍の長さである、請求項２１に記載の器具。
【請求項２３】
前記ボディーフレーム部の長手方向の長さが前記ボディーフレーム部の外径の少なくとも４倍の長さである、請求項２１に記載の器具。
【請求項２４】
前記ボディーフレーム部の長手方向の長さが前記ボディーフレーム部の外径の少なくとも５倍の長さである、請求項２３に記載の器具。
【請求項２５】
サポートチューブ、
前記サポートチューブによって規定される軸線の周りに配置されるボディーフレーム部であって、近位末端と遠位末端を含む前記ボディーフレーム部、
前記ボディーフレーム部の遠位末端から延びているフィルター部、
それぞれ第１末端と第２末端を有する１本以上の近位テザーであって、前記の１本以上の近位テザーのそれぞれの前記第１末端が前記サポートチューブに結合しており、且つ、前記の１本以上の近位テザーのそれぞれの前記第２末端が前記ボディーフレーム部に結合している、前記の１本以上の近位テザー、及び
それぞれ第１末端と第２末端を有する１本以上の遠位テザーであって、前記の１本以上の遠位テザーのそれぞれの前記第１末端が前記サポートチューブに結合しており、且つ、前記の１本以上の遠位テザーのそれぞれの前記第２末端が前記ボディーフレーム部に結合している、前記の１本以上の遠位テザー
を備える血栓治療器具。
【請求項２６】
前記の１本以上の遠位テザーが移動可能であるように前記サポートチューブに結合しており、且つ、前記の１本以上の近位テザーが固定的に前記サポートチューブに結合している、請求項２５に記載の器具。
【請求項２７】
前記の１本以上の遠位テザーが固定的に前記サポートチューブに結合しており、且つ、前記の１本以上の近位テザーが移動可能であるように前記サポートチューブに結合している、請求項２５に記載の器具。
【請求項２８】
前記サポートチューブの遠位末端が、前記遠位テザーが前記サポートチューブに結合している位置から遠位方向に位置する、請求項２５に記載の器具。
【請求項２９】
前記サポートチューブの遠位末端が前記フィルター部から遠位方向に位置する、請求項２５に記載の器具。
【請求項３０】
前記遠位テザーが前記フィルター部によって規定される内部空間内に実質的に位置する、請求項２５に記載の器具。
【請求項３１】
前記ボディーフレーム部の長手方向の長さが前記ボディーフレーム部の外径の少なくとも２倍の長さである、請求項２５に記載の器具。
【請求項３２】
前記ボディーフレーム部の長手方向の長さが前記ボディーフレーム部の外径の少なくとも３倍の長さである、請求項２５に記載の器具。
【請求項３３】
前記ボディーフレーム部の長手方向の長さが前記ボディーフレーム部の外径の少なくとも４倍の長さである、請求項２５に記載の器具。
【請求項３４】
前記フィルター部の長手方向の長さが前記ボディーフレーム部の長手方向の長さの半分以下である、請求項２５に記載の器具。
【請求項３５】
前記の１本以上の近位テザーのそれぞれの前記第２末端が前記ボディーフレーム部の近位末端に結合しており、且つ、前記の１本以上の遠位テザーのそれぞれの前記第２末端が前記ボディーフレーム部の遠位末端に結合している、請求項２５に記載の器具。